(57)【要約】【課題】  被ケア物の異物を除去する能力の低下を抑えることができ、かつ、被ケア物の消臭または被ケア物への香り付けが可能となるシート部材を提供すること。【解決手段】  シート部材３２は、基材層３３と、基材層３３の１面３３ａに形成された異物付着層３４と、異物付着層３４に付与された、内部に消臭剤を収容した第１のマイクロカプセル３６と、異物付着層３４に付与された、内部に芳香剤を収容した第２のマイクロカプセル３７と、を備える。【選択図】      図４
2019063204.tif 000002
【特許請求の範囲】
【請求項１】
複数の繊維から形成された異物付着層と、
前記異物付着層に付与された、内部に消臭剤を収容する第１のカプセル、及び内部に芳香剤を収容する第２のカプセルの少なくとも一方と、
を具備するシート部材。
【請求項２】
前記異物付着層は、複数の突起を具備する
請求項１に記載のシート部材。
【請求項３】
フック部、及び保持部を具備した保持具本体と、
前記保持部に保持されたケア部材であって、基材層、前記基材層の１面に形成され、複数の繊維から形成された異物付着層、及び、前記異物付着層に付与され、内部に消臭剤を収容した第１のカプセル及び内部に芳香剤を収容した第２のカプセルの少なくとも一方を具備したシート部材が巻回されて筒状に構成されたケア部材と、
を具備した保持具。
【請求項４】
前記シート部材は、前記基材層の２面に形成された粘着層を具備する
請求項３に記載の保持具。
【請求項５】
クリーナ本体と、
前記クリーナ本体に形成されたローラ支持部と、
前記ローラ支持部に回動可能に支持されたローラ本体と、
前記ローラ本体に固定された、複数の繊維から形成された異物付着層と、
前記異物付着層に付与された、内部に消臭剤を収容した複数の第１のカプセル及び内部に芳香剤を収容した複数の第２のカプセルの少なくとも一方と、
を具備したクリーナ。
【発明の詳細な説明】
【技術分野】
【０００１】
本発明は、布等の被ケア物の表面の異物を除去するシート部材、シート部材を有する保持具、及び、シート部材を有するクリーナに関する。
【背景技術】
【０００２】
例えばスーツやカーペット（被ケア物）の表面に付着した髪の毛やほこり等の異物を除去する粘着シートが知られている。粘着シートは、シート基材上に、粘着剤を塗布することにより形成されている。
【０００３】
この種の粘着シートは、例えば、ローラタイプのクリーナのローラの表面に設けられて使用される。具体的には、シート部材は、粘着材が塗布された表面が外側に向く姿勢でローラに固定されている。使用者は、シート部材の粘着材が塗布された表面を被ケア物に接触させた状態で、クリーナを移動させる。
【０００４】
ローラが被ケア物に接触されることにより、被ケア物上の異物が粘着シートに付着される。さらに、クリーナの移動に伴ってローラ及び粘着シートが回転することにより、異物が被ケア物から離れる、すなわち異物除去される。この種の粘着シートとしては、粘着面に消臭剤を有する粘着シートが知られている（例えば、特許文献１参照。）。
【先行技術文献】
【特許文献】
【０００５】
【特許文献１】特許第５５７２４１５号公報
【発明の概要】
【発明が解決しようとする課題】
【０００６】
粘着面により被ケア物に付着した異物を除去する粘着シートには、以下の問題があった。すなわち、粘着面により異物を付着させる粘着シートでは、粘着材が被ケア物の表面に触れる為、被ケア物の表面を傷めるおそれがある。さらに、粘着部材は、被ケア物に接触したり、または、空気のほこりなどと接触することで粘着力が低下するので、異物を除去する能力が低下するという問題がある。
【０００７】
本発明の目的は、被ケア物を傷めることなく被ケア物の異物を除去できるとともにこの能力の低下を抑えることができ、かつ、被ケア物の消臭または被ケア物への香り付けが可能となるシート部材を提供することである。また、他の発明の目的は、被ケア物を保持可能であり、被ケア物を取り外すときに、被ケア物を傷めることなく被ケア物の異物を除去しつつ、被ケア物の消臭または被ケア物への香り付けが可能であり、かつ、異物を除去する能力の低下を抑えることができる保持具を提供することである。他の発明の目的は、被ケア物を傷めることなく被ケア物の異物を除去できるとともにこの能力の低下を抑えることができ、かつ、被ケア物の消臭または被ケア物への香り付けが可能となるクリーナを提供することである。
【課題を解決するための手段】
【０００８】
本発明の一態様に係るシート部材は、複数の繊維から形成された異物付着層と、前記異物付着層に付与された、内部に消臭剤を収容する第１のカプセル、及び内部に芳香剤を収容する第２のカプセルの少なくとも一方と、を備える。
【０００９】
本発明の一態様に係る保持具は、フック部、及び保持部を具備した保持具本体と、前記保持部に保持されたケア部材であって、基材層、前記基材層の１面に形成され、複数の繊維から形成された異物付着層、並びに、前記異物付着層に付与され、内部に消臭剤を収容した第１のカプセル及び内部に芳香剤を収容した第２のカプセルの少なくとも一方を具備したシート部材が巻回されて筒状に構成されたケア部材と、を備える。
【００１０】
本発明の一態様に係るクリーナは、クリーナ本体と、前記クリーナ本体に形成されたローラ支持部と、前記ローラ支持部に回動可能に支持されたローラ本体と、前記ローラ本体に固定され、複数の繊維から形成された異物付着層と、前記異物付着層に付与された、内部に消臭剤を収容した複数の第１のカプセル及び内部に芳香剤を収容した複数の第２のカプセルの少なくとも一方と、を備える。
【発明の効果】
【００１１】
本発明によれば、被ケア物を傷めることなく被ケア物の異物を除去できるとともにこの能力の低下を抑えることができ、かつ、被ケア物の消臭または被ケア物への香り付けが可能となるシート部材を提供することが可能である。また、他の発明によれば、被ケア物を保持可能であり、被ケア物を取り外すときに、被ケア物を傷めることなく被ケア物の異物を除去しつつ、被ケア物の消臭または被ケア物への香り付けが可能であり、かつ、異物を除去する能力の低下を抑えることができる保持具を提供することが可能である。また、他の発明によれば、被ケア物を傷めることなく被ケア物の異物を除去できるとともにこの能力の低下を抑えることができ、かつ、被ケア物の消臭または被ケア物への香り付けが可能となるクリーナを提供することが可能である。
【図面の簡単な説明】
【００１２】
【図１】本発明の第１の実施形態に係る保持具を示す正面図である。
【図２】第１の実施形態の保持具に用いられるケア部材を示す斜視図である。
【図３】第１の実施形態の保持具の要部を示す断面図である。
【図４】第１の実施形態のシート部材を示す断面図である。
【図５】第１の実施形態のシート部材の変形例を示す断面図である。
【図６】本発明の第２の実施形態に係るクリーナを示す斜視図である。
【図７】第２の実施形態にクリーナの要部を示す断面図である。
【発明を実施するための形態】
【００１３】
本発明の第１の実施形態に係る保持具１０を、図１乃至図５を用いて説明する。図１は、保持具１０を示す正面図である。図２は、保持具１０に用いられるケア部材３０を示す斜視図である。図３は、保持具１０の要部を示す断面図である。図３は、具体的には、保持具１０に用いられる被ケア物保持部２２及びケア部材３０を、被ケア物保持部２２の第３の部分２５の軸線に直交する断面に沿って切断した状態を示している。図４は、シート部材３２を示す断面図である。
【００１４】
図１に示すように、保持具１０は、マフラー等の帯状の被ケア物５を掛けることが可能に構成されている。保持具１０は、具体的には、保持具本体２０、及び、保持具本体２０に保持されるケア部材３０を有している。
【００１５】
保持具本体２０は、フックやハンガーラックに掛けることが可能に形成されたフック部２１、及び、ケア部材３０を保持可能に形成された被ケア物保持部２２を有している。フック部２１は、平面視で例えばＣ字形状に形成されている。
【００１６】
被ケア物保持部２２は、平面視で例えば三角形の枠状に形成されている。被ケア物保持部２２は、具体的には、フック部２１に連結された第１の部分２３及び第２の部分２４、第３の部分２５、並びに、第２の部分２４及び第３の部分２５を互いに連結する連結部２６を有している。これら第１の部分２３、第２の部分２４、及び、第３の部分２５は、それぞれ、三角形の各辺を構成している。
【００１７】
被ケア物保持部２２は、第１の部分２３及び第２の部分２４が略同じ長さを有しており、保持具１０をフック部２１によりフックやハンガーラックに掛けたときに、第３の部分２５が水平方向に平行または略平行な姿勢となる。
【００１８】
第１の部分２３は、第３の部分２５を第１の部分２３に着脱可能に固定する固定部２７を有している。第３の部分２５は、固定部２７に固定されることにより、水平な姿勢となる。固定部２７は、本実施形態では、一例として、第１の部分２３の端部に一体に形成されたフックである。固定部２７は、上方に開口している。なお、固定部２７は、フック状に構成されることに限定されない。
【００１９】
連結部２６は、第３の部分２５を第２の部分２４に、第１の位置Ｐ１及び第２の位置Ｐ２の間で移動可能に連結している。連結部２６は、本実施形態では、一例として、第３の部分２５及び第２の部分２４に一体に構成された部分であり、可撓性を有している。すなわち、連結部２６は、第３の部分２５を第１の位置Ｐ１及び第２の位置Ｐ２の間で移動とする可撓性を有している。
【００２０】
第１の位置Ｐ１は、第３の部分２５が固定部２７から離脱した状態であり、第３の部分２５が固定部２７よりも下方に配置された位置である。第２の位置Ｐ２は、第３の部分２５が固定部２７の上端を乗り越える位置である。なお、連結部２６は、可撓性を有する構成に限定されない。他の例では、連結部２６は、ヒンジであってもよい。
【００２１】
第３の部分２５は、その中途部に、ケア部材３０の後述する芯部材３１内に挿通可能な挿通部２８を有している。挿通部２８は、第３の部分２５の他の部分よりも断面が大きく形成されている。なお、挿通部２８は、例えば、円柱状に形成されている。
【００２２】
図２に示すように、ケア部材３０は、第３の部分２５を内側に配置可能な筒状に形成されている。ケア部材３０は、円筒状の芯部材３１、及び芯部材３１に巻回されたシート部材３２を有している。
【００２３】
芯部材３１は、例えば、紙や樹脂から形成されている。図３に示すように、芯部材３１は、内部に挿通部２８が挿通される。芯部材３１は、挿通部２８に対して、所定の回動抵抗を有して回動可能な程度に嵌合する形状を有している。芯部材３１は、具体的には、挿通部２８と同径、または、挿通部２８の外径よりもわずかに小さな内径を有している。  
なおここで言う所定の回動抵抗は、被ケア物５をケア部材３０から取り外す際に、被ケア物５及びケア部材３０の間の摩擦力によりケア部材３０が被ケア物５に対して擦れながら回動する回動抵抗である。
【００２４】
図４に示すように、シート部材３２は、基材層３３、基材層３３の一方の面となる１面３３ａに形成された異物付着層３４、及び、基材層３３の他方の面となる２面３３ｂに形成された粘着層３５を有している。
【００２５】
基材層３３は、シート状に形成されている。基材層３３は、例えば、紙や樹脂から形成されている。  
異物付着層３４は、繊維により形成されている。異物付着層３４は、例えば、不織布から形成されている。なお、異物付着層３４は、不織布から形成されることに限定されない。異物付着層３４は、例えば、布から形成されてもよい。異物付着層３４は、繊維から形成されることにより、異物付着層３４の表面は立体的に形成される。この為、異物付着層３４が被ケア物５に対して擦れる際に被ケア物５に付着したほこり等の異物を絡めとることが可能となる。さらに、異物付着層３４が不織布から形成されることにより、異物付着層３４の表面がより一層立体的に形成されるので、被ケア物５の異物を絡めとりやすくなる。
【００２６】
異物付着層３４は、被ケア物５に対して擦れる際に被ケア物５に付着した異物を絡めとることが可能に構成されている。異物付着層３４は、被ケア物５に付着した異物を、より一層絡めとることを可能とする為に、例えば、表面が比較的粗く形成されている。異物付着層３４の表面が比較的粗く形成されることにより、異物付着層３４の表面がより一層立体的に形成される。異物付着層３４の表面が粗く形成されることにより、異物付着層３４が被ケア物５に接触した際に、被ケア物５に付着した異物がより一層異物付着層３４に絡みつき、異物を被ケア物５から除去することができる。
【００２７】
このように、被ケア物５に付着した異物が異物付着層３４内に入り込むことにより、被ケア物５に対して異物付着層３４を擦ると、すなわち、異物付着層３４を被ケア物５に接触させた状態で互いを相対的に移動させると、異物付着層３４が異物を絡めとることができる。
【００２８】
また、異物付着層３４は、複数の繊維から形成されることから、異物付着層３４内に小さな保持空間を複数有する。換言すると、異物付着層３４を構成する繊維間に形成された隙間を複数有する。異物付着層３４は、この隙間内に、複数の第１のマイクロカプセル３６、及び、複数の第２のマイクロカプセル３７の少なくとも一方を有している。本実施形態では、複数の第１のマイクロカプセル３６及び複数の第２のマイクロカプセル３７を有している。第１のマイクロカプセル３６及び第２のマイクロカプセル３７は、異物付着層３４には軽く固定されている。
【００２９】
第１のマイクロカプセル３６は、第１の殻部３６ａ、及び第１の殻部３６ａ内に収容された消臭剤を有している。第１の殻部３６ａは、一例として、メラミンから形成された硬い殻、または、ゼラチンから形成された柔い殻である。第１の殻部３６ａは、被ケア物５をケア部材３０に掛ける際に被ケア物５が接触する程度の力、または、被ケア物５をケア部材３０から取り外す際に異物付着層３４に対して相対的に被ケア物５が移動するときに生じる擦れなどにより、少なくとも一部が破壊される強度を有している。
【００３０】
なお、同時に全ての第１のマイクロカプセル３６が破壊されることはない。第１の殻部３６ａは、被ケア物５をケア部材３０に掛ける作業毎、または、被ケア物５をケア部材３０から取り外す作業毎に、複数の第１のマイクロカプセル３６のうち一部が破壊され、残りの第１のマイクロカプセル３６は破壊されない。
【００３１】
第１の殻部３６ａの粒径は、１μｍ以上であって２０μｍ以下の範囲が好ましく、本実施形態では、一例として、８μｍである。なお、第１の殻部３６ａの粒径は、１μｍ以上であって２０μｍ以下の範囲に限定されるものではない。第１のマイクロカプセル３６の大きさは、異物付着層３４によるほこりを絡めとる能力に影響を及ぼさないように、小さいことが好ましい。実際には、第１のマイクロカプセル３６は小さく、使用者の目に見えない大きさである。図４では、第１のマイクロカプセル３６及び第２のマイクロカプセル３７は、誇張して大きく記載されている。
【００３２】
第２のマイクロカプセル３７は、第２の殻部３７ａ、及び、第２の殻部３７ａ内に収容された芳香剤を有している。第２の殻部３７ａは、第１の殻部３６ａと、構成する素材や粒径について同様である。複数の第１のマイクロカプセル３６及び複数の第２のマイクロカプセル３７は、例えば、異物付着層３４に、塗布されることにより、付与される。
【００３３】
上述のように、異物付着層３４は、繊維により構成されることにより、厚み内に、繊維間に形成される隙間が複数存在する。この為、異物付着層３４の表面に、第１のマイクロカプセル３６及び第２のマイクロカプセル３７が塗布されると、第１のマイクロカプセル３６及び第２のマイクロカプセル３７は、異物付着層３４の表面の繊維、表面の繊維間の隙間、及び、異物付着層３４の厚み内の繊維間の隙間内に付与される。
【００３４】
この為、第１のマイクロカプセル３６及び第２のマイクロカプセル３７は、異物付着層３４に対して、立体的に付与される。なお、第１のマイクロカプセル３６及び第２のマイクロカプセル３７は、被ケア物５に付着させることが可能な様にバインダー等によって異物付着層３４に軽く固定されている。
【００３５】
なお、第１のマイクロカプセル３６及び第２のマイクロカプセル３７を異物付着層３４に付着させる方法は、塗布に限定されない。要するに、第１のマイクロカプセル３６及び第２のマイクロカプセル３７を、異物付着層３４に付与できればよい。  
粘着層３５は、基材層３３に粘着材を設けることにより形成される。
【００３６】
このように構成されたシート部材３２は、芯部材３１に巻回される。このとき、シート部材３２は、粘着層３５が芯部材３１側に配置される姿勢で、巻回される。シート部材３２は、芯部材３１に巻回されると、粘着層３５により、巻回された状態が維持される。
【００３７】
次に、保持具１０の使用方法の一例を説明する。保持具１０は、建物の壁面に形成されたフックやハンガーラックにフック部２１を掛けた状態で使用される。使用者は、図１に示すように、被ケア物５を、ケア部材３０に掛けることにより、被ケア物５を、壁面に形成されたフックや、ハンガーラックに保持する。
【００３８】
被ケア物５をケア部材３０に掛けることにより、異物付着層３４の複数の第１のマイクロカプセル３６のうちの一部及び複数の第２のマイクロカプセル３７のうちの一部は、被ケア物５により押圧される。このように外力が入力された複数の第１のマイクロカプセル３６のうちの一部は、第１の殻部３６ａが破壊される。また、破壊されなかった複数の第１のマイクロカプセル３６のうちの一部の第１のマイクロカプセル３６は、被ケア物５に付着する。同様に、複数の第２のマイクロカプセル３７のうちの一部の第２の殻部３７ａが破壊される。また、破壊されなかった複数の第２のマイクロカプセル３７のうちの一部の第２のマイクロカプセル３７は、被ケア物５に付着する。
【００３９】
なお、複数の第１のマイクロカプセル３６、及び複数の第２のマイクロカプセル３７は、異物付着層３４に対して、表面から反対側の面までの間に、立体的に付与されている。この為、被ケア物５をケア部材３０に掛けるときの、被ケア物５に作用する圧縮力を調整することにより、すなわち、被ケア物５をケア部材３０に押し付けるとともにこの押し付け力を調整することにより、破壊される第１のマイクロカプセル３６の量、破壊される第２のマイクロカプセル３７の量、被ケア物５に付着される第１のマイクロカプセル３６の量、及び、被ケア物５に付着される第２のマイクロカプセル３７の量を調整することができる。
【００４０】
第１のマイクロカプセル３６は、第１の殻部３６ａが破壊されることにより、内部の消臭剤が外部に出る。同様に、第２のマイクロカプセル３７は、第２の殻部３７ａが破壊されることにより、内部の芳香剤が外部に出る。被ケア物５は、外部に出た消臭剤により消臭され、かつ、外部に出た芳香剤によりにおいが付与される。このように、被ケア物５は、消臭剤及び芳香剤により、においがケアされる。また、破壊されずに被ケア物５に付着した第１のマイクロカプセル３６及び第２のマイクロカプセル３７が、使用者の外出先で破壊されることで、外出先でも消臭や芳香の効果が発揮される。また、保持具１０がクローゼット内に設置された場合は、外部に出た消臭剤及び芳香剤により、クローゼット内も消臭され、かつ、においが付与される。
【００４１】
使用者が被ケア物５を保持具１０から取り外す際には、図３に示すように、被ケア物５を下方に引っ張る。異物付着層３４は、その表面が粗い為、被ケア物５との間に比較的高い摩擦力を生じる。ケア部材３０は、この摩擦力により、挿通部２８回りに付勢される。しかしながら、ケア部材３０は、芯部材３１内に挿通部２８が摩擦力で保持されていることにより、挿通部２８回りの回転がしにくい状態となっている。
【００４２】
この為、ケア部材３０は、被ケア物５が使用者に引っ張られると被ケア物５と一体に回転するではなく、被ケア物５に引っ張られることによって被ケア物５に対して擦れながら、回転する。異物付着層３４は、被ケア物５の表面に対して、擦れながら相対的に移動する。
【００４３】
被ケア物５が異物付着層３４に対して擦れることにより、被ケア物５の表面に付着した異物が、異物付着層３４に絡めとられる。  
さらに、被ケア物５が異物付着層３４に対して擦れることにより、複数の第１のマイクロカプセル３６のうちの一部及び複数の第２のマイクロカプセル３７のうちの一部に外力が入力される。第１のマイクロカプセル３６及び第２のマイクロカプセル３７は、外力が入力されることにより殻部３６ａ，３７ａが破壊される。また、破壊されなかった複数の第１のマイクロカプセル３６のうちの一部、及び、破壊されなかった複数の第２のマイクロカプセル３７のうちの一部は、被ケア物５に付着される。
【００４４】
第１のマイクロカプセル３６は、第１の殻部３６ａが破壊されることにより、内部の消臭剤が外部に出る。同様に、第２のマイクロカプセル３７は、第２の殻部３７ａが破壊されることにより、内部の芳香剤が外部に出る。被ケア物５は、外部に出た消臭剤により消臭され、外部に出た芳香剤によりにおいが付与される。このように、被ケア物５は、消臭剤及び芳香剤により、においがケアされる。また、破壊されずに被ケア物５に付着した第１のマイクロカプセル３６及び第２のマイクロカプセル３７が、使用者の外出先で破壊されることで、外出先でも消臭や芳香の効果が発揮される。
【００４５】
異物付着層３４は、使用に伴い、被ケア物５の異物を除去する能力が低下する。使用者は、異物付着層３４による絡めとり能力が低下したと感じたら、または、消臭及び芳香の効果が低下したと感じたら、図２に示すように、シート部材３２を繰り出して、使用されていた部分Ｄを切断して廃棄する。
【００４６】
また、シート部材３２がなくなると、すなわち、芯部材３１のみとなると、使用者は、図１に示すように、第３の部分２５の固定部２７における固定を解除する。具体的には、第３の部分２５を第２の位置Ｐ２まで移動して第３の部分２５を固定部２７から出すことにより、固定を解除する。使用者は、第３の部分２５の固定を解除すると、第３の部分２５を第１の位置Ｐ１に移動し、挿通部２８から芯部材３１を取り外し、新しいケア部材３０を挿通部２８に取り付ける。
【００４７】
このように構成された保持具１０によれば、使用者は、被ケア物５を保持具１０から取り外す際に、異物付着層３４により被ケア物５に付着した異物を除去できる。このように、異物付着層３４は、異物を絡めとることにより除去するので、空気に接触しただけでは、異物を除去する能力が低下しない。
【００４８】
この為、異物付着層３４の異物を除去する能力の寿命は、粘着剤で異物を除去するものに対して長い。さらに、使用者は、被ケア物５をケア部材３０に掛ける作業、及び被ケア物５を取り外す作業を行う際に、第１のマイクロカプセル３６及び第２のマイクロカプセル３７により、被ケア物５の消臭及び被ケア物５への香り付けをすることができる。また、一部の第１のマイクロカプセル３６、及び一部の第２のマイクロカプセル３７が、破壊されずに被ケア物５に付着される為、使用者の外出先でも、消臭及び芳香の効果を発揮することが可能となる。
【００４９】
このように、シート部材３２は、被ケア物５の異物を除去する能力の低下を抑えることができ、かつ、被ケア物５の消臭または被ケア物５への香り付けが可能となる。さらに、保持具１０は、被ケア物５を保持可能であり、被ケア物５を取り外すときに、被ケア物５の異物を除去しつつ、被ケア物５の消臭または被ケア物への香り付けが可能である。さらに、シート部材３２は、粘着剤により被ケア物５の異物を吸着するものではなく、不織布から形成された異物付着層３４により被ケア物５の異物を絡めとるので、被ケア物５に粘着剤が付着することがない。この為、被ケア物５を傷めることがない。
【００５０】
なお、本実施形態では、異物付着層３４は、不織布等の複数の繊維により形成されており、さらに、表面が粗く形成されることにより、表面がほこりを絡めとる程度のでこぼこを有しているが、その表面は、平面状に形成されている。なお、ここで言う平面状とは、厳格に面であることではない。
【００５１】
しかしながら、異物付着層３４の表面は平面状であることに限定されない。例えば、図５に示す変形例のように、異物付着層３４が不織布から形成される場合には、異物付着層３４は、複数の突起３４ａを有してもよい。突起３４ａは、異物付着層３４の表面に例えば均等に配置されている。突起３４ａの大きさは、異物の大きさや種類に応じて形成されてもよい。
【００５２】
例えば、スーツ等の衣類をケアすることを主な目的として形成された場合は、突起３４ａは、衣類に付着した髪の毛や小さなほこり等の比較的小さな異物をかきとることができるように、比較的小さくてもよい。
【００５３】
または、突起３４ａは、複数種類の大きさを有してもよい。具体的には、髪の毛や小さなほこり等比較的小さな異物をかきとるための小さな突起、及び、大きなほこりやごみなど比較的大きな異物をかきとる為の大きな突起を有してもよい。
【００５４】
本実施形態では、ケア部材３０は、芯部材３１内に挿通部２８が嵌合することにより、被ケア物５及び異物付着層３４の間の摩擦力によって引っ張られることによって、被ケア物５に対して擦れながら回動する。
【００５５】
しかしながら、ケア部材３０は、挿通部２８が芯部材３１内に嵌合することに限定されない。ケア部材３０の芯部材３１は、挿通部２８に対して回動自由になるように、挿通部２８の外径よりも大きな内径を有してもよい。または、ケア部材３０は、挿通部２８に対して回転しないように、挿通部２８が固定されてもよい。
【００５６】
本実施形態では、第３の部分２５は、挿通部２８、及び挿通部２８よりも断面積が小さい部分を有している。しかしながら、第３の部分２５は、複数の断面形状を有する形状に限定されない。第３の部分２５は、軸方向に一定形状の断面を有する形状であってもよい。
【００５７】
本実施形態では、ケア部材３０は、芯部材３１を有している。しかしながら、ケア部材３０は、芯部材３１を有していなくてもよい。
【００５８】
次に、本発明の第２の実施形態に係るクリーナ４０を、図６及び図７を用いて説明する。なお、第１の実施形態と同様の機能を有する構成は、第１の実施形態と同一の符号を付して説明を省略する。
【００５９】
図６は、クリーナ４０を示す斜視図である。図７は、クリーナ４０に用いられるローラ４２を示す断面図である。図７は、ローラ４２を、ローラ４２の軸線に直交する断面に沿って切断した状態を示している。
【００６０】
図６に示すように、クリーナ４０は、使用者が把持可能に形成されたクリーナ本体４１、及び、クリーナ本体４１に回動可能に支持されたローラ４２を有している。クリーナ本体４１は、本実施形態では、使用者が片手で把持可能に形成されている。
【００６１】
クリーナ本体４１の一端部には、ローラ４２を回動可能に支持するローラ支持部４３が形成されている。ローラ支持部４３は、例えば、二股状に形成されている。ローラ支持部４３は、具体的には、クリーナ本体４１の長手方向に突出する第１の突出部４４及び第２の突出部４５を有している。
【００６２】
ローラ支持部４３は、ローラ４２に、比較的大きな回動抵抗を付与可能に形成されている。具体的には、ローラ支持部４３は、ローラ４２を被ケア物５に対して押し付けた状態でクリーナ４０が移動されると、ローラ４２の後述する異物付着層３４が被ケア物５に対して擦れながらローラ４２が回転するように、ローラ４２に対して回動抵抗を付与する。
【００６３】
具体的には、第１の突出部４４は、ローラ４２の回動軸４２ａが回動可能に嵌合する孔４４ａを有している。孔４４ａの内径は、回動軸４２ａの外径よりもわずかに大きい。
同様に、第２の突出部４５は、ローラ４２の回動軸４２ａが回動可能に嵌合する孔が形成されている。孔４４ａ及び回動軸４２ａの間に生じる摩擦力がローラ４２の回動の抵抗となる。
【００６４】
図７に示すように、ローラ４２は、ローラ本体４６、及びローラ本体４６の外面に設けられた絡めとり部４７を有している。ローラ本体４６は、例えば中空の円柱状に形成されている。ローラ本体４６は、ローラ支持部４３に、ローラ本体４６の軸線回りに回動可能に支持されている。
【００６５】
具体的には、ローラ本体４６の一端には、回動軸４２ａが形成されている。回動軸４２ａは、ローラ本体４６と一体に形成されている。回動軸４２ａは、第１の突出部４４の孔４４ａに嵌合している。ローラ本体４６の他端にも同様に回動軸４２ａが形成されている。この回動軸は、同様に第２の突出部４５の孔に嵌合している。
【００６６】
絡めとり部４７は、ローラ本体４６の表面にシート部材４８を固定することにより構成されている。シート部材４８は、基材層３３、及び、異物付着層３４を有している。シート部材４８は、ローラ本体４６の表面に巻回された状態で基材層３３が接着剤等によりローラ本体４６の表面に固定されている。
【００６７】
クリーナ４０は、床に固定されたカーペット等、比較的広い面積を持つ被ケア物５をケア可能である。使用者は、被ケア物５に異物付着層３４を接触させた状態で、クリーナ４０を被ケア物５に対して移動する。
【００６８】
クリーナ４０が被ケア物５に対して移動されることにより、異物付着層３４が被ケア物５に対して擦れながら、ローラ４２が回転する。異物付着層３４が被ケア物５に対して擦れることにより、被ケア物５の表面に付着した異物が、異物付着層３４に絡めとられる。
【００６９】
ローラ４２が被ケア物５に押し付けられることにより、及び、異物付着層３４が被ケア物５に対して擦れることにより、異物付着層３４の複数の第１のマイクロカプセル３６のうちの一部、及び複数の第２のマイクロカプセル３７のうちの一部が、破壊される。また、破壊されなかった複数の第１のマイクロカプセル３６のうちの一部、及び破壊されなかった複数の第２のマイクロカプセル３７の一部は、被ケア物５に付着する。
【００７０】
なお、複数の第１のマイクロカプセル３６、及び複数の第２のマイクロカプセル３７は、異物付着層３４に対して、表面から反対側の面までの間に、立体的に付与されている。この為、被ケア物５をケア部材３０に掛けるときの、被ケア物５に作用する圧縮力を調整することにより、すなわち、被ケア物５をケア部材３０に押し付けるとともにこの押し付け力を調整することにより、破壊される第１のマイクロカプセル３６の量、破壊される第２のマイクロカプセル３７の量、被ケア物５に付着される第１のマイクロカプセル３６の量、及び、被ケア物５に付着される第２のマイクロカプセル３７の量を調整することができる。
【００７１】
第１の殻部３６ａが破壊されることにより、内部の消臭剤が外部に出る。第２の殻部３７ａが破壊されることにより、内部の芳香剤が外部に出る。被ケア物５は、外部に出た消臭剤により消臭され、外部に出た芳香剤によりにおいが付与される。このように、被ケア物５は、消臭剤及び芳香剤により、被ケア物５の消臭及び被ケア物５への香り付けがなされる。
【００７２】
さらに、破壊されずに被ケア物５に付着した第１のマイクロカプセル３６及び第２のマイクロカプセル３７が、クリーナ４０の使用時以外で破壊されることにより、クリーナ４０の使用時以外であっても、被ケア物５の消臭及び芳香の効果を発揮することが可能となる。
【００７３】
このように、本実施形態のクリーナ４０は、第１の実施形態と同様の作用と効果が得られる。なお、第２の実施形態の第１の殻部３６ａ及び第２の殻部３７ａの強度は、第１の実施形態の第１の殻部３６ａ及び第２の殻部３７ａと異なっていてもよい。すなわち、第２の実施形態のクリーナ４０の使用方法と、第１の実施形態の保持具１０の使用方法とが異なる為、第１の殻部３６ａ及び第２の殻部３７ａに入力される外力の大きさが異なる。この為、第１の殻部３６ａ及び第２の殻部３７ａの強度は、適切に破壊されるように、その強度が決定されてもよい。
【００７４】
本実施形態においても、異物付着層３４の表面は平面状であることに限定されない。異物付着層３４は、第１の実施形態と同様に、複数の突起３４ａを有してもよい。突起３４ａは、異物付着層３４の表面に例えば均等に配置されている。突起３４ａの大きさは、異物の大きさや種類に応じて形成されてもよい。例えば、クリーナ４０が、カーペットをケアすることを主な目的として形成された場合は、クリーナ４０は、カーペットに付着した、ほこりやごみ等比較的大きな異物をかきとることができるように、突起３４ａは比較的大きくてもよい。
【００７５】
なお、第２の実施形態では、ローラ支持部４３は、２つの突出部４４，４５により、構成された。しかしながら、ローラ支持部４３は、２つの突出部４４，４５により構成されることに限定されない。ローラ支持部４３は、例えば、一方の突出部のみにより、回動可能に支持されてもよい。
【００７６】
また、ローラ支持部４３は、異物付着層３４が被ケア物５に対してすれるように、回動抵抗を付与可能に構成されている。しかしながら、ローラ支持部４３は、異物付着層３４が被ケア物５に対してすれることないように回動自由にローラ４２を支持可能に構成されてもよい。
【００７７】
なお、第１の実施形態では、シート部材３２は、粘着層３５を有している。しかしながら、シート部材３２は、粘着層３５を有していなくてもよく、例えば、第２の実施形態のシート部材４８が用いられてもよい。この場合、基材層３３が接着剤等により、芯部材３１に固定される。
【００７８】
また、第２の実施形態では、シート部材４８が用いられているが、他の例では、第１の実施形態のケア部材３０が用いられてもよい。この場合、ケア部材３０の芯部材３１は、内部にローラ本体４６を収容し、ローラ本体４６が嵌合されてもよい。さらに、ローラ支持部４３は、ケア部材３０を着脱可能に構成されてもよい。
【００７９】
また、第１の実施形態及び第２の実施形態では、異物付着層３４に第１のマイクロカプセル３６及び第２のマイクロカプセル３７が付与されている。他の例では、異物付着層３４は、第１のマイクロカプセル３６のみを有してもよい。または、異物付着層３４は、第２のマイクロカプセル３７のみを有してもよい。
【００８０】
なお、第１の実施形態及び第２の実施形態では、異物付着層３４は、不織布から形成されたが、これに限定されない。異物付着層３４は、例えば、布で形成されてもよい。または、異物付着層３４は、例えば樹脂材料や毛を材料として、ブラシ状に形成されてもよい。異物付着層３４がブラシ状に形成されることにより、ブラシを構成する毛の先端が位置する面、すなわち、異物付着層３４の表面は、粗い面となる。この為、第１のマイクロカプセル３６及び第２のマイクロカプセル３７が、ブラシ状の異物付着層の表面、及び内部に、配置可能となる。
【００８１】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００８２】
５…被ケア物、１０…保持具、２０…保持具本体、２１…フック部、２２…被ケア物保持部（保持部）、２７…固定部、２８…挿通部、３０…ケア部材、３１…芯部材、３２…シート部材、３３…基材層、３３ａ…１面、３３ｂ…２面、３４…異物付着層、３４ａ…突起、３５…粘着層、３６…第１のマイクロカプセル（第１のカプセル）、３６ａ…第１の殻部、３７…第２のマイクロカプセル（第２のカプセル）、３７ａ…第２の殻部、４０…クリーナ、４１…クリーナ本体、４２…ローラ、４６…ローラ本体、４７…絡めとり部、４８…シート部材。
【図１】
2019063204.tif 000003
【図２】
2019063204.tif 000004
【図３】
2019063204.tif 000005
【図４】
2019063204.tif 000006
【図５】
2019063204.tif 000007
【図６】
2019063204.tif 000008
【図７】
2019063204.tif 000009